【手続補正書】
【提出日】平成17年7月7日(2005.7.7)
【手続補正１】
【補正対象書類名】特許請求の範囲
【補正対象項目名】全文
【補正方法】変更
【補正の内容】
【特許請求の範囲】
【請求項１】
単位画素が第１の副画素とカラーフィルタを備えた第２の副画素とを含む複数の副画素から構成され、各副画素に印加電圧に応じて光学的性質を変化させる媒体が配置されたカラー表示素子であって、
前記第１の副画素に配置された前記媒体の光学的性質を、前記媒体を通過する光の明度が変化する範囲と前記媒体を通過する光が有彩色を呈し該有彩色の色相が変化する範囲とにおいて変調する電圧を、前記第１の副画素に印加する手段と、
前記第２の副画素に配置された前記媒体の光学的性質を、前記媒体を通過する光の明度が変化する範囲において変調する電圧を前記第２の副画素に印加する手段と、
を有することを特徴とするカラー表示素子。
【請求項２】
前記第２の副画素のカラーフィルタは少なくとも緑色カラーフィルタを含むことを特徴とする請求項１に記載のカラー表示素子。
【請求項３】
前記有彩色の色相が変化する範囲が、赤色と青色およびその間の色相範囲であることを特徴とする請求項２に記載のカラー表示素子。
【請求項４】
前記第１の副画素に前記媒体を通過する光が赤と青の中間のマゼンタ色を呈する電圧が印加され、前記第２の副画素に、前記媒体を通過する光が前記明度変化範囲における最大明度となる電圧が印加されることにより、前記単位画素に白色が表示されることを特徴とする請求項２または３に記載のカラー表示素子。
【請求項５】
前記第１の副画素が、前記第２の副画素のカラーフィルタの色と補色の関係にある色のカラーフィルタを有することを特徴とする請求項１に記載のカラー表示素子。
【請求項６】
前記第２の副画素のカラーフィルタが緑色であり、前記第１の副画素のカラーフィルタがマゼンタ色であることを特徴とする請求項５に記載のカラー表示素子。
【請求項７】
前記第１の副画素に前記色相が変化する範囲の電圧が印加され、前記有彩色と前記補色の関係にあるカラーフィルタの色とを重ねた色が表示されることを特徴とする請求項５または６に記載のカラー表示素子。
【請求項８】
前記第１の副画素と前記第２の副画素に、ともに前記媒体を通過する光が前記明度変化範囲における最大明度となる電圧が印加されることにより、前記単位画素に白色が表示されることを特徴とする請求項５または６に記載のカラー表示素子。
【請求項９】
前記第１の副画素と第２の副画素に、前記明度が変化する範囲において同一階調の変調を与えることにより、前記単位画素に無彩色の中間調が表示されることを特徴とする請求項５または６に記載のカラー表示素子。
【請求項１０】
前記第２の副画素が２以上のサブピクセルからなり、緑色のカラーフィルタを有するサブピクセルに加えて、赤色のカラーフィルタを有するサブピクセルと、青色のカラーフィルタを有するサブピクセルの少なくともいずれか一方のサブピクセルをさらに有することを特徴とする請求項２に記載のカラー表示素子。
【請求項１１】
少なくとも１枚の偏光板と、電極が形成され対向配置された一対の基板と、該基板間に配置された液晶層とを有するカラー表示素子であって、
前記電極に加えられる電圧に応じて前記液晶層のリタデーションが変化し、
前記カラー表示素子の単位画素が、前記電極に印加される電圧に応じて、前記液晶層を通過する光の明度が変化する範囲と前記液晶層を通過する光が有彩色を呈し該有彩色の色相が変化する範囲とにおいて前記液晶層のリタデーションが変調される第１の副画素と、カラーフィルタを備え、前記電極に印加される電圧に応じて、前記液晶層を通過する光の明度が変化する範囲で前記液晶層のリタデーションが変調される第２の副画素とを含む複数の副画素から構成されることを特徴とするカラー表示素子。
【請求項１２】
前記液晶層の液晶は、電圧無印加時には基板面に略垂直に配向しており、印加電圧に応じて該略垂直の配向から傾斜することを特徴とする請求項１１に記載のカラー表示素子。
【請求項１３】
前記液晶層の液晶は、電圧印加に応じてベンド配向と略垂直配向との間で配向状態を変化させることを特徴とする請求項１１に記載のカラー表示素子。
【請求項１４】
前記第２の副画素のセル厚が前記第１の副画素のセル厚より薄いことを特徴とする請求項１１乃至１３のいずれか１項に記載のカラー表示素子。
【請求項１５】
前記単位画素がカラーフィルタを備えた第３の副画素を含んで構成され、前記第１の副画素および第２の副画素が光を反射する領域を有し、前記第３の副画素が背面からの光を前記カラーフィルタを通して透過する領域を有することを特徴とする請求項１１に記載のカラー表示素子。
【請求項１６】
前記第３の副画素が、前記電極に印加される電圧に応じて、前記液晶層を通過する光の明度が変化する範囲で前記液晶層のリタデーションが変調される副画素であることを特徴とする請求項１５に記載のカラー表示素子。
【請求項１７】
前記第３の副画素の光透過領域の液晶層の厚さが、前記第１の副画素および第２の副画素の光反射領域の液晶層の厚さの２倍より小さいことを特徴とする請求項１６に記載のカラー表示素子。
【請求項１８】
前記光反射領域の液晶層の厚さが、前記光透過領域の液晶層の厚さと等しく、かつ０ｎｍから３００ｎｍまでの範囲でリタデーションの変調が可能な厚さであることを特徴とする請求項１７に記載のカラー表示素子。
【請求項１９】
前記第３の副画素が赤・緑・青のカラーフィルタをそれぞれ備えた３つのサブピクセルに分割されていることを特徴とする請求項１５乃至１８のいずれか１項に記載のカラー表示素子。
【請求項２０】
前記３つのサブピクセルの各々が、前記電極に印加される電圧に応じて、前記液晶層を通過する光の明度が変化する範囲で前記液晶層のリタデーションが変調されるサブピクセルであることを特徴とする請求項１９に記載のカラー表示素子。
【請求項２１】
印加電圧に応じて光学的性質が変化する媒体を含むカラー表示素子の駆動方法であって、
第１の副画素とカラーフィルタを有する第２の副画素とを含む複数の副画素で単位画素を構成し、
前記第１の副画素に、該媒体を通過する光の明度が変化する範囲と該媒体を通過する光が有彩色を呈し該有彩色の色相が変化する範囲とにわたり前記媒体の光学的性質を変調する電圧を印加し、前記第２の副画素に、該媒体を通過する光の明度が変化する範囲で前記媒体の光学的性質を変調する電圧を印加することを特徴とするカラー表示素子の駆動方法。
【請求項２２】
単位画素が第１の副画素とカラーフィルタを有する第２の副画素とを含む複数の副画素で構成され、各副画素に、電圧を印加する手段と、該手段により印加される電圧によって光学的性質を変化させる媒体とが配置されたカラー表示装置であって、
前記電圧を印加する手段は、
前記第１の副画素に、前記媒体を通過する光の明度が変化する範囲および前記媒体を通過する光が有彩色を呈し該有彩色の色相が変化する範囲にわたって前記媒体の光学的性質を変調する電圧を印加する手段と、
前記第２の副画素に、前記媒体を通過する光の明度が変化する範囲で前記媒体の光学的性質を変調する電圧を印加する手段とを含むことを特徴とするカラー表示装置。
【請求項２３】
単位画素が、光反射面が設けられた第１の副画素と、光反射面とカラーフィルタを備えた第２の副画素と、カラーフィルタを備え、背面からの光を該カラーフィルタを通して透過する第３の副画素とを含んで構成され、各副画素に電圧を印加する手段と、印加電圧によって光学的性質が変化する媒体とを備えるカラー表示装置であって、
前記各副画素に電圧を印加する手段が、
前記第１の副画素に、前記媒体を通過する光の明度が変化する範囲および前記媒体を通過する光が有彩色を呈し該有彩色の色相が変化する範囲にわたって前記媒体の光学的性質を変調する電圧を印加する手段と、
前記第２の副画素および第３の副画素に、それぞれ、前記媒体を通過する光の明度が変化する範囲で前記媒体の光学的性質を変調する電圧を印加する手段とを含むことを特徴とするカラー表示装置。
【請求項２４】
前記第１乃至第３の副画素に電圧を印加する手段が、電極と、ゲートラインとソースラインとＴＦＴとが配置されたアクティブマトリクス基板とを含み、奇数行目のゲートラインが該ＴＦＴを介して前記第１の副画素および前記第２の副画素の前記電極に接続され、偶数行目のゲートラインが該ＴＦＴを介して第３の副画素の前記電極に接続されていることを特徴とする請求項２３に記載のカラー表示装置。
【請求項２５】
前記第１の副画素が２つのサブピクセルからなり、前記第３の副画素が、赤・緑・青のカラーフィルタをそれぞれ備えた３つのサブピクセルからなることを特徴とする請求項２３または２４に記載のカラー表示装置。
【請求項２６】
前記第３の副画素の３つのサブピクセルが、それぞれ前記第１の副画素の２つのサブピクセルと前記第２の副画素とに隣接して配置されていることを特徴とする請求項２５に記載のカラー表示装置。
【請求項２７】
前記第１の副画素が、前記第２の副画素のカラーフィルタの色と補色の関係にある色のカラーフィルタを備え、前記第３の副画素のサブピクセルのうち、前記第２の副画素に隣接するサブピクセルのカラーフィルタの色が、前記第２の副画素のカラーフィルタの色と同色であることを特徴とする請求項２６に記載のカラー表示装置。
【手続補正２】
【補正対象書類名】明細書
【補正対象項目名】発明の名称
【補正方法】変更
【補正の内容】
【発明の名称】カラー表示素子、カラー表示素子の駆動方法及びカラー表示装置
【手続補正３】
【補正対象書類名】明細書
【補正対象項目名】００２９
【補正方法】変更
【補正の内容】
【００２９】
本発明は、単位画素が第１の副画素とカラーフィルタを備えた第２の副画素とを含む複数の副画素から構成され、各副画素に印加電圧に応じて光学的性質を変化させる媒体が配置されたカラー表示素子であって、前記第１の副画素に配置された前記媒体の光学的性質を、前記媒体を通過する光の明度が変化する範囲と前記媒体を通過する光が有彩色を呈し該有彩色の色相が変化する範囲とにおいて変調する電圧を、前記第１の副画素に印加する手段と、前記第２の副画素に配置された前記媒体の光学的性質を、前記媒体を通過する光の明度が変化する範囲において変調する電圧を前記第２の副画素に印加する手段と、を有することを特徴とするものである。
【手続補正４】
【補正対象書類名】明細書
【補正対象項目名】００３０
【補正方法】変更
【補正の内容】
【００３０】
また本発明は、少なくとも１枚の偏光板と、電極が形成され対向配置された一対の基板と、該基板間に配置された液晶層とを有するカラー表示素子であって、前記電極に加えられる電圧に応じて前記液晶層のリタデーションが変化し、前記カラー表示素子の単位画素が、前記電極に印加される電圧に応じて、前記液晶層を通過する光の明度が変化する範囲と前記液晶層を通過する光が有彩色を呈し該有彩色の色相が変化する範囲とにおいて前記液晶層のリタデーションが変調される第１の副画素と、カラーフィルタを備え、前記電極に印加される電圧に応じて、前記液晶層を通過する光の明度が変化する範囲で前記液晶層のリタデーションが変調される第２の副画素とを含む複数の副画素から構成されることを特徴とするものである。
【手続補正５】
【補正対象書類名】明細書
【補正対象項目名】００３１
【補正方法】変更
【補正の内容】
【００３１】
さらに本発明は、印加電圧に応じて光学的性質が変化する媒体を含むカラー表示素子の駆動方法であって、第１の副画素とカラーフィルタを有する第２の副画素とを含む複数の副画素で単位画素を構成し、前記第１の副画素に、該媒体を通過する光の明度が変化する範囲と該媒体を通過する光が有彩色を呈し該有彩色の色相が変化する範囲とにわたり前記媒体の光学的性質を変調する電圧を印加し、前記第２の副画素に、該媒体を通過する光の明度が変化する範囲で前記媒体の光学的性質を変調する電圧を印加することを特徴とするものである。また、単位画素が第１の副画素とカラーフィルタを有する第２の副画素とを含む複数の副画素で構成され、各副画素に、電圧を印加する手段と、該手段により印加される電圧によって光学的性質を変化させる媒体とが配置されたカラー表示装置であって、前記電圧を印加する手段は、前記第１の副画素に、前記媒体を通過する光の明度が変化する範囲および前記媒体を通過する光が有彩色を呈し該有彩色の色相が変化する範囲にわたって前記媒体の光学的性質を変調する電圧を印加する手段と、前記第２の副画素に、前記媒体を通過する光の明度が変化する範囲で前記媒体の光学的性質を変調する電圧を印加する手段とを含むことを特徴とするものである。